(57)【要約】【課題】排水の逆流及び破封を防止しつつ、排水口の目皿に付着する毛髪等を良好に剥がすことができる排水トラップ装置１を提供する。【解決手段】排水トラップ装置１は、排水の流入を受け入れる第１の排水口５と、該第１の排水口５から流入した排水を流下させる第１排水流路６と、異物を濾し取る目皿７を有し、排水の流入を受け入れる第２の排水口８と、該第２の排水口８から流入した排水を流下させる第２排水流路９と、前記第１排水流路６及び前記第２排水流路９を流下した排水を合流させて下流に排出する排出口１０と、下部１１ａが前記第１排水流路６に連通するとともに、上部１１ｂが前記第２の排水口８の下側に配置される直立管１１と、を備え、該直立管１１の上部周面には、排水を前記第２の排水口８の下側に渦状に供給する渦状排出孔１１ｅが設けられる。【選択図】図１
2010265601.tif 000002
【特許請求の範囲】
【請求項１】
排水の流入を受け入れる第１の排水口と、
該第１の排水口から流入した排水を流下させる第１排水流路と、
異物を濾し取る目皿を有し、排水の流入を受け入れる第２の排水口と、
該第２の排水口から流入した排水を流下させる第２排水流路と、
前記第１排水流路及び前記第２排水流路を流下した排水を合流させて下流に排出する排出口と、
下部が前記第１排水流路に連通するとともに、上部が前記第２の排水口の下側に配置される直立管と、を備え、
該直立管の上部周面には、排水を前記第２の排水口の下側に渦状に供給する渦状排出孔が設けられることを特徴とする排水トラップ装置。
【請求項２】
前記第２の排水口が有する前記目皿は、その底部が前記渦状排出孔よりも下方となるように形成されることを特徴とする請求項１に記載の排水トラップ装置。
【請求項３】
前記第１排水流路を流れる排水の一部を前記直立管の下端に誘引可能な可動片を更に備え、
該可動片は、前記第１排水流路の流量が所定未満の場合に、前記第１排水流路の一部を閉塞して、排水を前記直立管の下端に誘引するとともに、前記第１排水流路の流量が所定以上の場合は、前記第１排水流路を開放することを特徴とする請求項１又は請求項２に記載の排水トラップ装置。
【発明の詳細な説明】
【技術分野】
【０００１】
本発明は、排水トラップ装置に関し、少なくとも２以上の排水口から排水の流入を受け入れて下流に排出する排水トラップ装置に関する。
【背景技術】
【０００２】
浴室の洗い場の排水口において、目皿に毛髪などが付着して十分に通水できなくなることが多い。そこで、例えば特許文献１のように、本体内を流入室と流出室との２室に区画し、流入室の天面に洗い場排水流入用の開口を設けるとともに流入室の側面に浴槽排水が流入する浴槽排水流入口を設け、浴槽排水により流入室内に渦流を発生させる渦流発生手段を設けた排水トラップが開示されている。これによると、流入室の内周面に沿って渦流が発生することにより、目皿に付着する毛髪を良好に剥がすことができ通水が良好となる。
【０００３】
また、浴室の洗い場側及び浴槽側の排水口から排水の流入を受け入れて、これら排水を合流させて１つの排出口から排出する排水トラップにおいては、両排水口から連なる排水流路が一体であると、洗い場側の排水口から浴槽側の排水口に排水が逆流する虞があった。一方、両排水口から連なる排水流路を完全に遮蔽すると、浴槽側の排水口から大量の排水を流下させたときに、排出口近傍で浴槽からの排水によりサイフォン現象が発生し、洗い場側のトラップに貯留した排水が引っ張られて、洗い場側のトラップが封水切れを起こす虞があった。
【０００４】
そこで、特許文献２のように、浴槽側の排水流路から分岐して前記洗い場側の排水流路の封水部上方で開口する通水路を設けられた排水トラップが開示されている。この構成によると、浴槽側の排水口から少量の排水があった場合には、そのまま排出口から排出されるが、浴槽側の排水口から大量の排水があった場合には、その排水の一部が通水路を通って洗い場側の排水流路の封水部上方で排出されるため、洗い場側の排水流路の封水部が封水切れになることもない。
【先行技術文献】
【特許文献】
【０００５】
【特許文献１】特許第３８８６０５５
【特許文献２】特開２００７−１９７９４３
【発明の概要】
【発明が解決しようとする課題】
【０００６】
しかし、特許文献１の排水トラップは、浴槽排水の全てを流入室に流しいれることにより、渦流を発生させるものであるので、特許文献２のような構成を採用することができず、洗い場側の排水口から浴槽側の排水口に排水が逆流する虞があり、また、浴槽側の排水口からの排水が洗い場側の排水口から溢れ出る虞があった。
【０００７】
そこで、本発明は、排水の逆流及び破封を防止しつつ、排水口の目皿に付着する毛髪等を良好に剥がすことができる排水トラップ装置を提供することを目的とする。
【課題を解決するための手段】
【０００８】
上記の目的を達成するために、請求項１に記載の排水トラップ装置は、排水の流入を受け入れる第１の排水口と、該第１の排水口から流入した排水を流下させる第１排水流路と、異物を濾し取る目皿を有し、排水の流入を受け入れる第２の排水口と、該第２の排水口から流入した排水を流下させる第２排水流路と、前記第１排水流路及び前記第２排水流路を流下した排水を合流させて下流に排出する排出口と、下部が前記第１排水流路に連通するとともに、上部が前記第２の排水口の下側に配置される直立管と、を備え、該直立管の上部周面には、排水を前記第２の排水口の下側に渦状に供給する渦状排出孔が設けられることを特徴としている。
【０００９】
また、請求項２に記載の排水トラップ装置は、請求項１に記載の排水トラップ装置において、前記第２の排水口が有する前記目皿は、その底部が前記渦状排出孔よりも下方となるように形成されることを特徴としている。
【００１０】
請求項３に記載の排水トラップ装置は、請求項１又は請求項２に記載の排水トラップ装置において、前記第１排水流路を流れる排水の一部を前記直立管の下端に誘引可能な可動片を更に備え、該可動片は、前記第１排水流路の流量が所定未満の場合に、前記第１排水流路の一部を閉塞して、排水を前記直立管の下端に誘引するとともに、前記第１排水流路の流量が所定以上の場合は、前記第１排水流路を開放することを特徴としている。
【発明の効果】
【００１１】
請求項１に記載の排水トラップ装置によると、第１の排水口から連なる第１排水流路に排水に直立管の下端が連通し、この直立管の上端が第２の排水口の下側に配置されており、直立管の上端周面には、排水を第２の排水口の下側に渦状に供給する渦状排出孔が設けられているので、第２の排水口が有する目皿に渦状排出孔から供給された排水が渦状に流れることとなり、目皿に付着した毛髪等を剥がし、良好な通水状態を保つことができる。しかも、このように第１排水流路の排水の一部が第２の排水口側に供給されることにより、第２の排水口側のトラップの破封も防止することができる。
【００１２】
請求項２に記載の排水トラップ装置によると、第２の排水口が有する目皿は、その底部が渦状排出孔よりも下方となるように形成されるので、渦状排出孔からでた排水を勢いよく目皿に当てることができ、目皿に付着した毛髪等をより確実に剥がすことができる。
【００１３】
請求項３に記載の排水トラップ装置によると、可動片が、第１排水流路の流量が所定未満の場合に、第１排水流路の一部を閉塞して排水を直立管の下端に誘引することができるので、第１排水流路の流量が少ないときにも直立管の下端に確実に排水を集めることができ、その上方で渦状排出孔から排水を勢いよく排出することにより、第２の排水口の目皿付近で力強い渦流を形成することができる。また第１排水流路の流量が所定以上の場合は、可動片が第１排水流路を開放するので、第１排水流路から多量の排水を排出することができ、通水性を高めることができる。
【図面の簡単な説明】
【００１４】
【図１】排水トラップ装置の全体構成を示す断面図。
【図２】直立管の構成を示す斜視図。
【図３】渦状排出孔の構成及び作用を説明する簡略断面図。
【図４】第１排水流路の排水の流量が少ないときの可動片の機能を説明する斜視図。
【図５】第１排水流路の排水の流量が多いときの可動片の機能を説明する斜視図。
【図６】本実施形態の変形例として、深い目皿を用いた例を示す断面図。
【図７】本実施形態の変形例として、長い直立管を用いた例を示す断面図。
【発明を実施するための形態】
【００１５】
以下において、本発明の排水トラップ装置１の最良の実施形態について、各図面を参照しつつ説明する。図１に示すように、排水トラップ装置１は、例えば浴室における浴槽２の排水及び洗い場３の排水をそれぞれ受け入れ、受け入れた排水を下流側の排水配管４に排出するものである。この排水トラップ装置１は、例えば浴槽２の排水の流入を受け入れる第１の排水口５と、この第１の排水口５から流入した排水を貯留するトラップを形成するとともに、流入した排水を流下させる第１排水流路６と、毛髪等の異物を濾し取る目皿７を有し、例えば浴室の洗い場３の排水の流入を受け入れる第２の排水口８と、この第２の排水口８から流入した排水を貯留するトラップを形成するとともに、流入した排水を流下させる第２排水流路９と、これら第１排水流路６と第２排水流路９とを流下した排水を合流させて下流に排出する排出口１０と、下部１１ａが第１排水流路６に連通するとともに、上部１１ｂが第２の排水口８の下側に配置される直立管１１と、第２排水流路９を流れる排水の一部を直立管１１の下端に誘引可能な可動片１２とを備える。
【００１６】
第１の排水口５は、浴槽２の底面２ａに設けられた開口に直管１３を介して連通しており、浴槽２に貯められた水を受け入れるものである。そして、第１の排水口５の下には第１排水流路６の上流側端部６ａが連通しており、この第１排水流路６はほぼ水平な方向に、洗い場３に設けられた第２の排水口８の下方にまで延出し、その後排出口１０に向けて上り勾配に形成されて、第１排水流路６のほぼ全域が浴槽２の排水を貯留するトラップとなるように構成されている。また、第２の排水口８の下方位置における第１排水流路６の直上には第２排水流路９が形成されており、第１排水流路６と第２排水流路９とを遮蔽壁１４により分断している。
【００１７】
第２の排水口８は、洗い場３の床面に形成された排水を流す溝３ａの下流位置に設けられており、目皿７がその周面に設けられたねじ溝により螺合されている。また、この目皿７の下側には上端が第２の排水口８の内周面に密接するようにフランジ状に形成された筒状の防臭筒１５が固定されている。また、第２排水流路９は、遮蔽壁１４を底面として第１排水流路６に沿って設けられ、排出口１０に向けて上り勾配に形成されており、防臭筒１５及びこの第２排水流路９の上り勾配により第２の排水口８から流入した排水を貯留するトラップを形成している。
【００１８】
直立管１１は、遮蔽壁１４に設けられた開口に下部１１ａが挿入されて第１排水流路６側に配置されており、上部１１ｂは防臭筒１５の内側に立設されている。この直立管１１の下部１１ａは、図１及び図２に示すように、下流側の周面にのみ壁１１ｃが形成された半円筒形状であり、下面及び上流側の周面は開放されている。そして、その上に開口に固定されるフランジ１１ｄが形成され、さらに円筒形状の直立管１１の上部１１ｂが防臭筒１５の内側に立設されている。直立管１１の上部１１ｂはその上面が閉塞されており、上端近傍の周面に複数の小径の開口である渦状排出孔１１ｅが設けられている。この渦状排出孔１１ｅは、図３に示すように、周面に対して一定方向に角度が付けられており、渦状排出孔１１ｅから排出された排水は防臭筒１５の内側で渦を形成する。
【００１９】
なお、直立管１１の形状は円筒状に限定されるものではなく、例えば四角柱の筒状や、その他の多角形柱状であっても良い。また、直立管１１の下部１１ａの下流側には半円筒形状の壁が形成されているが、必ずしもこのような壁を形成する必要はなく、第１排水流路６の通水性能をより高める必要がある場合などには、このような壁のない形状とすることもできる。また、渦状排出孔１１ｅは上述の形態に限定されるものではなく、例えば孔の出口に図示しない小片が取付けられて排出される排水の方向を変化させ、水流が渦を巻くようにする構成であってもよい。
【００２０】
可動片１２は、図４に示すように、第１排水流路６における直立管１１の下部１１ａの側方に設けられており、水平且つ第１排水流路６の流水方向に対して直角に設けられた軸１２ｂと、上端部がこの軸１２ｂに回転自在に垂下した可動片本体１２ａとにより構成されている。可動片本体１２ａは、第１排水流路６の一部を遮蔽可能な平板状に構成されており、第１排水流路６の流量が少ない時には、自重により垂れ下って第１排水流路６の排水の一部を堰き止めて、直立管１１の下部１１ａに排水を誘引する。また、第１排水流路６の流量が多い時には、図５に示すように、排水の流圧により第１排水流路６を開放する。なお、排水量の調整のため、必要に応じて可動片１２の自重を増すように可動片１２に重りを備える場合もある。
【００２１】
なお、可動片１２の構成はこれに限定されるものではなく、例えば蝶番にバネなどの弾性体を備えた平板状に構成され、第１排水流路６の流量が少ないときには、第１排水流路６の一部を閉塞状態に維持し、第１排水流路６の流量が多いときにその流圧によって第１排水流路６を開放するものであってもよい。また、可動片１２はその軸１２ｂが水平に設けられるものに限定されるものではなく、その軸１２ｂが鉛直に設けられるものであってもよい。また可動片本体１２ａの形状は平板状に限られるものではなく、直立管１１の下部１１ａに第１排水流路６を流れる排水をスムーズに集めることができるように湾曲した形状であっても良い。
【００２２】
このように構成される排水トラップ装置１において、洗い場３からの排水は、第２の排水口８から流入し、目皿７によって毛髪等が濾しとられた後、そのまま第２排水流路９を流下して排出口１０から下流の排水配管４に排出される。一方、浴槽２に貯留した水を排水するときには、第１の排水口５から排水が流入し、第１排水流路６に流れ込む。そして、第１排水流路６を流れる排水は、その一部が直立管１１の下部１１ａに当って、直立管１１内部を上昇するとともに、排水の他の部分は、第１排水流路６を通過して排出口１０から下流の排水配管４に排出される。直立管１１内部を上昇した排水は、渦状排出孔１１ｅから防臭筒１５の内側に排出される。この排出された排水は、防臭筒１５内側を渦状に回転しながら目皿７に当って、この目皿７に付着した毛髪等を剥がし、その後、第２排水流路９のトラップに貯留されつつ、第２排水流路９を通って、排出口１０から排出される。
【００２３】
したがって、浴槽２に貯留した水を排水するだけで、目皿７に付着した毛髪等を剥がすことができるので、良好な通水状態を保つことができる。しかも、第１排水流路６の排水の一部が第２排水流路９に供給されることになるので、第１排水流路６に勢いよく排水が流れた場合に、排出口１０近傍でサイフォン現象が発生して、第２排水流路９のトラップに貯留した排水が引っ張られたとしても、第２排水流路９には新たに排水が供給されることとなるので、トラップが封水切れを起こすことがない。
【００２４】
しかも、第１排水流路６の排水の流れが弱くなったときには、可動片１２が第１排水流路６の一部を塞いで、排水を直立管１１の下部１１ａに誘引するので、渦状排出孔１１ｅからは排水が勢いよく排出され、力強い渦を発生させることができる。
【００２５】
なお、本発明の実施の形態は上述の形態に限ることなく、本発明の思想の範囲を逸脱しない範囲で適宜変更することができることは云うまでもない。
【００２６】
例えば、本実施形態においては、目皿７は底面が渦状排出孔１１ｅよりも上方に配置されているが、これに限定されるものではなく、例えば、図６に示すように、底面７ａがより深く構成され、その中央７ｂが盛り上って形成されたものであっても良い。このように構成されると、渦状排出孔１１ｅよりも目皿７の底面７ａが低くなるので、渦状排出孔１１ｅから排出される排水の勢いが弱い場合にも、発生する渦流の高さを目皿７の底面７ａよりも高くすることができ、目皿７に付着した毛髪等を確実に剥がすことができる。また、目皿７を深くすることに替えて、直立管１１の長さをより長く形成しても良い。このように構成した場合、渦状排出孔１１ｅの位置をより高くすることができ、目皿７の底面７ａよりも高くすることができるので、前述の構成と同様に、渦状排出孔１１ｅから排出される排水の勢いが弱い場合にも、発生する渦流の高さを目皿７の底面７ａよりも高くすることができ、目皿７に付着した毛髪等を確実に剥がすことができる。
【００２７】
なお、本実施形態においては、浴室の浴槽２の排水及び洗い場３の排水を受け入れる排水トラップ装置１について説明したが、２以上の排水口から排水を受け入れる他の排水トラップ装置１においても、本発明を適用することができる。
【産業上の利用可能性】
【００２８】
本発明の排水トラップ装置１は、例えば浴室における浴槽２の排水と洗い場３の排水とをともに排水配管４に流下させる排水トラップ装置１において、好適に用いることができる。
【符号の説明】
【００２９】
１      排水トラップ装置
５      第１の排水口
６      第１排水流路
７      目皿
７ａ    底部
８      第２の排水口
９      第２排水流路
１０    排出口
１１    直立管
１１ａ  下部
１１ｂ  上部
１１ｅ  渦状排出孔
１２    可動片
【図１】
2010265601.tif 000003
【図２】
2010265601.tif 000004
【図３】
2010265601.tif 000005
【図４】
2010265601.tif 000006
【図５】
2010265601.tif 000007
【図６】
2010265601.tif 000008
【図７】
2010265601.tif 000009